(57)【要約】【課題】固定用金具の取り付け位置によらず保持フレームの内部に水が溜まりにくい太陽光発電システムを得ること。【解決手段】太陽光発電システム１００は、太陽電池パネル７０と、中空形状部５６を備えて太陽電池パネル７０の外縁部に配置された保持フレーム１０ａと、を有する太陽電池モジュール８０と、保持フレーム１０ａに取り付けられて太陽電池モジュール８０を設置場所に固定するための下固定用金具９１と、を備える。太陽光発電システム１００は、保持フレーム１０ａの中空形状部５６の下壁面部５３と下固定用金具９１の支持面９１ａとが接触した状態で保持フレーム１０ａと下固定用金具９１とが配置され、保持フレーム１０ａの中空形状部５６の下壁面部５３と下固定用金具９１の支持面９１ａとに囲まれた排水路１２０を有し、中空形状部５６の下壁面部５３に、中空形状部５６の内部と排水路１２０とを連通させる排水孔５８を備える。【選択図】図９
2017163701.tif 000002
【特許請求の範囲】
【請求項１】
太陽光を電力に変換する光電変換部を備えた太陽電池パネルと、中空形状部を備えて前記太陽電池パネルの外縁部に配置された保持フレームと、を有する太陽電池モジュールと、
前記保持フレームに取り付けられて前記太陽電池モジュールを設置場所に固定するための固定用金具と、
を備えた太陽光発電システムであって、
前記保持フレームの中空形状部の一面と前記固定用金具の一面とが接触した状態で前記保持フレームと前記固定用金具とが配置され、
前記保持フレームの中空形状部の一面と前記固定用金具の一面とに囲まれた排水路を有し、
前記中空形状部の一面に、前記中空形状部の内部と前記排水路とを連通させる排水孔を備えること、
を特徴とする太陽光発電システム。
【請求項２】
前記中空形状部の一面に、前記排水孔を有して前記中空形状部の内部側に向かって凹んだ凹部が設けられており、
前記排水路は、前記凹部と前記固定用金具の一面とに囲まれていること、
を特徴とする請求項１に記載の太陽光発電システム。
【請求項３】
前記凹部は、前記中空形状部の一面の端部から内側に向かって設けられていること、
を特徴とする請求項２に記載の太陽光発電システム。
【請求項４】
前記排水孔は、前記保持フレームにおける長手方向の端部に設けられていること、
を特徴とする請求項３に記載の太陽光発電システム。
【請求項５】
前記固定用金具の一面の前記排水孔に対向する位置に、前記中空形状部の一面から離れる方向に凹んだ凹部が設けられていること、
を特徴とする請求項１に記載の太陽光発電システム。
【請求項６】
前記凹部は、前記固定用金具の一面における端部から内側に向かって設けられていること、
を特徴とする請求項５に記載の太陽光発電システム。
【請求項７】
太陽光を電力に変換する光電変換部を備えた太陽電池パネルと、中空形状部を備えて前記太陽電池パネルの外縁部に配置された保持フレームと、を備え、前記中空形状部の一面と、前記保持フレームに取り付けられて前記太陽電池モジュールを設置場所に固定するための固定用金具の一面とが接触した状態で前記設置場所に固定される太陽電池モジュールであって、
前記中空形状部の内部と前記中空形状部の外部とを連通させる排水孔を前記中空形状部の一面に有し、
前記中空形状部の一面において前記排水孔を囲んだ領域に前記中空形状部の内部側に向かって凹んだ凹部が設けられていること、
を特徴とする太陽電池モジュール。
【請求項８】
前記凹部は、前記中空形状部の一面の端部から内側に向かって設けられていること、
を特徴とする請求項７に記載の太陽電池モジュール。
【請求項９】
前記凹部は、前記中空形状部の一面の端部に設けられており、
前記排水孔は、前記凹部の端部に設けられていること、
を特徴とする請求項８に記載の太陽電池モジュール。
【請求項１０】
太陽光を電力に変換する光電変換部を備えた太陽電池パネルと、一面に排水孔を有する中空形状部を備えて前記太陽電池パネルの外縁部に配置された保持フレームと、を有する太陽電池モジュールを設置場所に固定するための固定用金具であって、
前記中空形状部の一面に接触して配置される前記固定用金具の一面における前記排水孔に対向する位置に、前記中空形状部の一面から離れる方向に凹んだ凹部が設けられていること、
を特徴とする固定用金具。
【請求項１１】
前記凹部は、前記固定用金具の一面における端部から内側に向かって設けられていること、
を特徴とする請求項１０に記載の固定用金具。
【発明の詳細な説明】
【技術分野】
【０００１】
本発明は、中空形状部を備える保持フレームが太陽電池パネルの外縁部に配置された太陽電池モジュールと、保持フレームに取り付けられて太陽電池モジュールを設置場所に固定するための固定用金具と、を備える太陽光発電システム、太陽電池モジュールおよび固定用金具に関するものである。
【背景技術】
【０００２】
従来、太陽電池セルを複数並べて構成された太陽電池パネルを有する太陽電池モジュールにおいては、太陽電池パネルの外縁部を保護するとともにパネルの強度を持たせるために、太陽電池パネルの外縁部を全周にわたって保持する保持フレームを有するものがある。また、保持フレームは、太陽電池パネルを保持するとともに、太陽電池モジュールを設置する際の固定部材としても機能する。
【０００３】
寒冷地においては、太陽電池モジュールの上面に雪が堆積し、その荷重が太陽電池パネルにかかるため、保持フレームはこれに耐えうる強度を確保する必要がある。一般的に、保持フレームの材料としては、耐久性および重量等の観点からアルミニウムが使用される。
【０００４】
保持フレームは、少ない材料で効率良く強度を確保し、また軽量化を図る目的で、太陽電池パネルの外縁部を保持する保持部に加えて、中空形状部を備えたものがある。
【０００５】
このような中空形状部を備えた保持フレームにおいては、その中に溜まった水が凍結して膨張し、枠部材を破損させることがある。また、溜まった水が凍結して膨張することで一様に膨らむため、製品としての外観が著しく損なわれ、製品の意匠性が低下することがある。これに対して、特許文献１には、中空部の水を抜く目的でフレームの下面に排水孔を設ける提案がなされている。
【先行技術文献】
【特許文献】
【０００６】
【特許文献１】特開２００３−２８２９１９号公報
【発明の概要】
【発明が解決しようとする課題】
【０００７】
しかしながら、上記従来の技術によれば、フレームにおいて排水孔が形成された位置に太陽電池モジュール用の固定用金具が設置された場合に、固定用金具が水抜き用穴を塞いでしまい、排水孔の機能を果たすことができない、という問題があった。
【０００８】
本発明は、上記に鑑みてなされたものであって、固定用金具の取り付け位置によらず保持フレームの内部に水が溜まりにくい太陽光発電システムを得ることを目的とする。
【課題を解決するための手段】
【０００９】
上述した課題を解決し、目的を達成するために、本発明にかかる太陽光発電システムは、太陽光を電力に変換する光電変換部を備えた太陽電池パネルと、中空形状部を備えて太陽電池パネルの外縁部に配置された保持フレームと、を有する太陽電池モジュールと、保持フレームに取り付けられて太陽電池モジュールを設置場所に固定するための固定用金具と、を備える。太陽光発電システムは、保持フレームの中空形状部の一面と固定用金具の一面とが接触した状態で保持フレームと固定用金具とが配置され、保持フレームの中空形状部の一面と固定用金具の一面とに囲まれた排水路を有し、中空形状部の一面に、中空形状部の内部と排水路とを連通させる排水孔を備えること、を特徴とする。
【発明の効果】
【００１０】
本発明によれば、固定用金具の取り付け位置によらず保持フレームの内部に水が溜まりにくい太陽光発電システムが得られる、という効果を奏する。
【図面の簡単な説明】
【００１１】
【図１】本発明の実施の形態１にかかる太陽電池モジュールの構成を示す斜視図
【図２】本発明の実施の形態１にかかる太陽電池モジュールの上面図
【図３】本発明の実施の形態１にかかる太陽電池モジュールの背面図
【図４】本発明の実施の形態１にかかる太陽電池モジュールの保持フレームの断面図
【図５】本発明の実施の形態１にかかる太陽電池モジュールの断面図
【図６】本発明の実施の形態１にかかる太陽電池モジュールが水平方向から傾きをもって据え付けられた場合の保持フレームにおける排水状態を模式的に示す要部断面図
【図７】本発明の実施の形態１にかかる第１の太陽光発電システムの斜視図
【図８】本発明の実施の形態１にかかる第１の太陽光発電システムにおける固定用金具の構成を示す断面図
【図９】本発明の実施の形態１にかかる第１の太陽光発電システムの構成を示す断面図
【図１０】本発明の実施の形態１にかかる第２の太陽光発電システムの斜視図
【図１１】本発明の実施の形態２にかかる太陽電池モジュールの構成を示す斜視図
【図１２】本発明の実施の形態２にかかる太陽電池モジュールの保持フレームの断面図
【図１３】本発明の実施の形態２にかかる太陽電池モジュールの断面図
【図１４】本発明の実施の形態２にかかる太陽光発電システムにおける固定用金具の構成を示す断面図
【図１５】本発明の実施の形態２にかかる太陽光発電システムの構成を示す断面図
【発明を実施するための形態】
【００１２】
以下に、本発明の実施の形態にかかる太陽光発電システム、太陽電池モジュールおよび固定用金具を図面に基づいて詳細に説明する。なお、この実施の形態によりこの発明が限定されるものではない。
【００１３】
実施の形態１．
まず、本発明の実施の形態１にかかる太陽電池モジュールについて説明する。図１は、本発明の実施の形態１にかかる太陽電池モジュール８０の構成を示す斜視図であり、太陽電池パネル７０に保持フレーム１０である枠部材を取り付ける様子を示している。図２は、本発明の実施の形態１にかかる太陽電池モジュール８０の上面図である。図３は、本発明の実施の形態１にかかる太陽電池モジュール８０の背面図である。図１から図３に示すように、太陽電池モジュール８０は、併設された複数の太陽電池セル６０が樹脂封止して構成された太陽電池パネル７０と、太陽電池パネル７０の外縁部を全周にわたって囲む保持フレーム１０とを有している。
【００１４】
太陽電池パネル７０は、太陽光を電力に変換する光電変換部である複数の太陽電池セル６０を備える。太陽電池パネル７０は、受光面側に図示しない透明基板であるガラスを配置し、この透明基板の裏面側に直列または並列に接続された複数の太陽電池セル６０を並べて配置し、これら複数の太陽電池セル６０をエチレンビニルアセテート（Ethylene-Vinyl  Acetate：ＥＶＡ）樹脂またはポリエチレンテレフタレート（Polyethylene  Terephthalate：ＰＥＴ）樹脂などの電気的絶縁材料で封止して形成されている。
【００１５】
図４は、本発明の実施の形態１にかかる太陽電池モジュール８０の保持フレーム１０ａの断面図である。図４では、図２のＩＶ−ＩＶ線に沿う断面であり、保持フレーム１０ａの長手方向に垂直な断面を示している。図５は、本発明の実施の形態１にかかる太陽電池モジュール８０の断面図である。図５では、図２のＩＶ−ＩＶ線に沿う断面であり、保持フレーム１０ａの長手方向に垂直な断面を示している。保持フレーム１０は、太陽電池パネル７０の外縁部の短辺を囲んで取り付けられた一対の保持フレーム１０ａと、太陽電池パネル７０の外縁部の長辺を囲んで取り付けられた一対の保持フレーム１０ｂとに分割されている。
【００１６】
保持フレーム１０は、アルミニウムなど金属材料の押出成型により形成され、図４に示すように断面コ字状をなすコ字状部１１を全周にわたって有しており、コ字状部１１で太陽電池パネル７０の外縁部を全周にわたって覆っている。保持フレーム１０は、ブチル系の封止材またはシリコン系の接着剤などからなる固定部２０を介して太陽電池パネル７０の外縁部に固定され、太陽電池パネル７０を補強する。また、保持フレーム１０は、住宅またはビルなどの建物の設置場所に設けられた固定用金具９０に取り付けられる。
【００１７】
保持フレーム１０ａは、上フランジ部５１、中フランジ部５２、下壁面部５３、外壁部５４および内壁部５５を有する。上フランジ部５１は、外壁部５４の上端から内側の方向に延在している。中フランジ部５２は、外壁部５４の上端から概ね太陽電池パネル７０の厚さ分だけ下がった位置から内側の方向に延在している。下壁面部５３は、外壁部５４の下端から内側の方向に延在している。内壁部５５は、中フランジ部５２の内側の端部と下壁面部５３の内側の端部とを接続するように延在している。
【００１８】
上フランジ部５１、中フランジ部５２および外壁部５４で三方を囲まれた部分は、断面コ字状をなし、太陽電池パネル７０の外縁部を全周にわたって挟み込むコ字状部１１を構成している。また、中フランジ部５２、下壁面部５３、外壁部５４および内壁部５５で囲まれた部分は、中空形状部５６をなしている。中空形状部５６は、コ字状部１１に配置される太陽電池パネル７０の裏面側に隣接して形成されている。
【００１９】
下壁面部５３は、中空形状部５６の内部に向かってへこんだ凹部である凹断面部５７が、下壁面部５３の幅方向における概ね中央部に下壁面部５３の長手方向における全長にわたって設けられている。すなわち、凹断面部５７は、下壁面部５３の平面視において、中空形状部５６が開放された側の下壁面部５３の端部から内側に向かって設けられている。下壁面部５３の長手方向は、保持フレーム１０ａの長手方向と同じ方向である。凹断面部５７は、保持フレーム１０ａの押し出し成型時に同時に形成することで凹部の形成を安価な加工費で達成することができる。そして、凹断面部５７には、下壁面部５３の幅方向における概ね中央部に、排水孔５８として排水孔５８ａが設けられている。すなわち、排水孔５８ａは、中空形状部５６の一面である下壁面部５３に設けられた凹断面部５７の底部５７ａに形成されている。排水孔５８ａは、中空形状部５６の内部と外部とを連通させる。
【００２０】
保持フレーム１０ａは、凹断面部５７の底部５７ａに排水孔５８ａを備えることにより下壁面部５３と排水孔５８ａとの間に空間が設けられている。このため、下壁面部５３の面内において排水孔５８ａに対向する位置に固定用金具が配置されても排水孔５８ａが塞がれることが無く、中空形状部５６内の水を保持フレーム１０ａの外に排水することが可能となる。なお、排水孔５８ａは、凹断面部５７の側面部に形成されていてもよい。
【００２１】
また、保持フレーム１０ｂは、保持フレーム１０ａは、長手方向における端部の構造以外は保持フレーム１０ａと同じ構造を有する。したがって、保持フレーム１０ｂも上述した保持フレーム１０ａと同様に下壁面部５３と排水孔５８ａとの間に空間が設けられるため、下壁面部５３の面内において排水孔５８ａに対向する位置に固定用金具が配置されても排水孔５８ａが塞がれることが無く、中空形状部５６内の水を保持フレーム１０ｂの外に排水することが可能となる。
【００２２】
保持フレーム１０ｂの長手方向における端部は、保持フレーム１０ａと接触する接触面１３となっている。接触面１３に位置する上フランジ部５１、中フランジ部５２、下壁面部５３、内壁部５５、中空形状部５６および凹断面部５７は除去されており、接触面１３は平坦になっている。
【００２３】
また、図３に示すように、保持フレーム１０ａおよび保持フレーム１０ｂにおいて後述する下固定用金具９１と対向する一面である下壁面部５３の凹断面部５７には、排水孔５８ａの他に排水孔５８として排水孔５８ｂが設けられている。
【００２４】
排水孔５８ｂは、保持フレーム１０ａおよび保持フレーム１０ｂの長手方向における端部の凹断面部５７に設けられている。一方、排水孔５８ａは、保持フレーム１０ａおよび保持フレーム１０ｂの長手方向において端部から離れた凹断面部５７よりも内側の、保持フレーム１０の長手方向における途中の位置の凹断面部５７に設けられている。
【００２５】
太陽電池モジュール８０は、一般的に、設置場所に設けられた架台へ水平方向から傾きをもった状態で据え付けられる。保持フレーム１０の端部であって、架台に据え付けられた際に下側に位置する側の端部に排水孔５８として排水孔５８ｂを形成することにより、保持フレーム１０内に溜まった水が保持フレーム１０の端部の排水孔５８ｂから排水される。このため、保持フレーム１０内に水を残すことなく排水することができる。そして、保持フレーム１０ａおよび保持フレーム１０ｂの長手方向における両端部に排水孔５８ｂを形成しておくことにより、太陽電池モジュール８０の配置方向によらず、保持フレーム１０内に水を残すことなく排水することができる。
【００２６】
図３では、長手方向における保持フレーム１０ｂの端部に保持フレーム１０ａの長手方向における側面を突き当てるように構成している。固定部２０をシリコン系の接着剤で構成した場合、保持フレーム１０ｂのコ字状部１１の端部から固定部２０のシリコン系の接着剤があふれて、保持フレーム１０ａ，１０ｂの中空形状部５６の内部に滴下し、保持フレーム１０ａ，１０ｂにおける排水孔５８ｂを覆う場合がある。ここで、保持フレーム１０ａ，１０ｂの長手方向における途中の位置に排水孔５８ａを設けておくことにより、シリコン系の接着剤が保持フレーム１０ａ，１０ｂの中空形状部５６の内部に滴下して排水孔５８ｂを覆った場合であっても、排水孔５８ａにより保持フレーム１０ａ，１０ｂ内に水を残すことなく排水することができる。保持フレーム１０ｂの排水孔５８ａの長手方向における端部からの位置は、保持フレーム１０ａの幅よりも大きい距離とするように設ければ、滴下したシリコン系の接着剤の影響を受けないので適切である。
【００２７】
また、保持フレーム１０ｂの排水孔５８ａの長手方向における端部からの位置は、太陽電池モジュール８０が水平方向から傾きをもった状態で据え付けられた際に適切に排水できるように、端部から遠すぎない適切な位置とされることが好ましい。具体的には、保持フレーム１０ｂの中空形状部５６の長手方向における端部領域が満水になる状態で水が保持されると、凍結時に保持フレーム１０ｂに大きな力がかかるので、中空形状部５６の長手方向における端部領域が満水にならないように排水孔５８ａを設けることが好ましい。ここで、満水とは、中空形状部５６の長手方向における端部において、中空形状部５６の内部の高さ位置まで水が達した状態を意味する。なお、傾きは３０°が一般的である。
【００２８】
図６は、本発明の実施の形態１にかかる太陽電池モジュール８０が水平方向から傾きをもって据え付けられた場合の保持フレーム１０ａにおける排水状態を模式的に示す要部断面図である。なお、図６では、保持フレーム１０ａにおいて長手方向の下方に位置する側面１０ａｔの中空形状部５６近傍の一部のみを示している。保持フレーム１０ａの水平方向からの傾きをθ、中空形状部５６の内部の高さをＡ、保持フレーム１０ａの側面１０ａｔから排水孔５８ａまでの長さ、すなわち保持フレーム１０ｂの長手方向における端部が保持フレーム１０ａと接触する接触面１３から排水孔５８ａまでの長さをＢ、傾きθで中空形状部５６の高さＡの位置まで水Ｗが達した場合における水面の保持フレーム１０ａの側面１０ａｔからの長さをＣとする。この場合は、例えばＢがＣよりも小さい位置、すなわちＢ＜Ｃとなる位置に排水孔５８ａを設ければよい。ここで、
Ａ／Ｃ＝ｔａｎθ
Ｃ＝Ａ／ｔａｎθ
である。
したがって、例えばＡ＝１００ｍｍ、θ＝３０°の場合は、
Ｃ＝１００ｍｍ／ｔａｎ３０°＝１７３ｍｍとなる。
【００２９】
つぎに、本実施の形態１にかかる太陽光発電システムについて説明する。図７は、本発明の実施の形態１にかかる第１の太陽光発電システム１００の斜視図である。第１の太陽光発電システム１００は、上述した太陽電池モジュール８０が固定用金具９０を用いて架台１１０に取り付けられて構成されている。図７に示す第１の太陽光発電システム１００は、太陽電池モジュール８０の短手方向を架台１１０の伸長方向に合わせて、太陽電池モジュール８０が架台１１０に取り付けられている。
【００３０】
図８は、本発明の実施の形態１にかかる第１の太陽光発電システム１００における固定用金具９０の構成を示す断面図である。図８では、図７のＶＩＩＩ−ＶＩＩＩ線に沿う断面に対応した、保持フレーム１０ａの長手方向に垂直な断面を示している。図９は、本発明の実施の形態１にかかる第１の太陽光発電システム１００の構成を示す断面図である。図９では、図７のＶＩＩＩ−ＶＩＩＩ線に沿う断面であり、保持フレーム１０ａの長手方向に垂直な断面を示している。
【００３１】
第１の太陽光発電システム１００は、太陽電池モジュール８０が、屋根または地上等の設置場所に設置された架台１１０上に、固定用部品である固定用金具９０と締結部品であるボルト９３とにより固定されている。第１の太陽光発電システム１００においては、架台１１０の上面上に平板状を有する第１固定用金具である下固定用金具９１が配置されている。下固定用金具９１の上面である支持面９１ａ上には、保持フレーム１０の下壁面部５３が支持面９１ａに対向して接触した状態で太陽電池モジュール８０が配置されている。
【００３２】
また、太陽電池モジュール８０を上方から押さえる断面クランク状をなす第２固定用金具である上固定用金具９２が、保持フレーム１０の上フランジ部５１および外壁部５４と、下固定用金具９１の支持面９１ａと、に接触した状態で配置されている。そして、ボルト９３が、下固定用金具９１に設けられたボルト挿入孔９１ｂおよび上固定用金具９２に設けられたボルト挿入孔９２ａに挿入されて架台１１０に設けられたボルト穴１１０ａにねじ止めされることで、太陽電池モジュール８０が架台１１０に固定されている。
【００３３】
上記のように構成された第１の太陽光発電システム１００においては、保持フレーム１０の下壁面部５３における凹断面部５７の底部５７ａと、下固定用金具９１の支持面９１ａと、に囲まれた排水路１２０が形成されている。すなわち、凹断面部５７の底部５７ａに形成された排水孔５８と、下固定用金具９１の支持面９１ａと、の間に排水路１２０が形成されている。すなわち、第１の太陽光発電システム１００は、保持フレーム１０ａの中空形状部５６における一面である下壁面部５３と、固定用金具９０の一面である下固定用金具９１の支持面９１ａとに囲まれた排水路１２０を有し、中空形状部５６の下壁面部５３に、中空形状部５６の内部と排水路１２０とを連通させる排水孔５８を備える。これにより、保持フレーム１０ａにおいて下固定用金具９１との当接面となる下壁面部５３の面内における排水孔５８に対向する位置に下固定用金具９１が配置されても、排水孔５８が塞がれることが無く、中空形状部５６内の水を保持フレーム１０の外に排水することが可能となる。
【００３４】
図１０は、本発明の実施の形態１にかかる第２の太陽光発電システム２００の斜視図である。第２の太陽光発電システム２００は、図７に示す第１の太陽光発電システム１００と同様に、上述した太陽電池モジュール８０が固定用金具９０を用いて架台１１０に取り付けられて構成されている。図７に示す第１の太陽光発電システム１００は、太陽電池モジュール８０の短手方向を架台１１０の伸長方向に合わせて太陽電池モジュール８０が配置されている。一方、第２の太陽光発電システム２００は、太陽電池モジュール８０の長手方向を架台１１０の伸長方向に合わせて太陽電池モジュール８０が配置されている。そして、架台１１０に対する太陽電池モジュール８０の取り付け構造は、第１の太陽光発電システム１００と同じである。
【００３５】
したがって、第２の太陽光発電システム２００においても、第１の太陽光発電システム１００と同様に、下固定用金具９１との当接面となる保持フレーム１０の下壁面部５３の面内において排水孔５８に対向する位置に下固定用金具９１が配置されても、排水孔５８が塞がれることが無く、中空形状部５６内の水を保持フレーム１０の外に排水することが可能となる。
【００３６】
上述したように、本実施の形態１にかかる太陽電池モジュール８０は、排水孔５８に対向する位置に固定用金具９０が配置されても排水孔５８が塞がれることが無く、中空形状部５６内の水を保持フレーム１０の外に排水することができる。そして、太陽電池モジュール８０を用いて構成された第１の太陽光発電システム１００および第２の太陽光発電システム２００は、下固定用金具９１との当接面となる保持フレーム１０の下壁面部５３の面内における排水孔５８に対向する位置に下固定用金具９１が配置されても、排水孔５８が塞がれることが無く、中空形状部５６内の水を保持フレーム１０の外に排水することができる。
【００３７】
したがって、本実施の形態１によれば、固定用金具の取り付け位置によらず保持フレームの内部に水が溜まりにくい太陽光発電システムを実現できる太陽電池モジュールが得られる。また、本実施の形態１によれば、固定用金具の取り付け位置によらず保持フレームの内部に水が溜まりにくい太陽光発電システムが得られる。
【００３８】
実施の形態２．
実施の形態２では、排水路を構成するための凹部を保持フレームではなく、固定用金具に設けた場合について説明する。なお、以下においては、実施の形態１と同様の部材については同じ符号を付し、詳細な説明は省略する。
【００３９】
図１１は、本発明の実施の形態２にかかる太陽電池モジュール３２０の構成を示す斜視図であり、太陽電池パネル７０に保持フレーム３１０である枠部材を取り付ける様子を示している。本実施の形態２にかかる太陽電池モジュール３２０の基本構成は、実施の形態１にかかる太陽電池モジュール８０と同じである。すなわち、本実施の形態２にかかる太陽電池モジュール３２０は、併設された複数の太陽電池セル６０が樹脂封止して構成された太陽電池パネル７０と、太陽電池パネル７０の外縁部を全周にわたって囲む保持フレーム３１０とを有している。保持フレーム３１０は、実施の形態１における保持フレーム１０に対応しており、一対の保持フレーム１０ａに対応する一対の保持フレーム３１０ａと、一対の保持フレーム１０ｂに対応する一対の保持フレーム３１０ｂとに分割されている。
【００４０】
図１２は、本発明の実施の形態２にかかる太陽電池モジュール３２０の保持フレーム３１０ａの断面図である。図１２では、図４に対応した、保持フレーム３１０ａの長手方向に垂直な断面を示している。図１３は、本発明の実施の形態２にかかる太陽電池モジュール３２０の断面図である。図１３では、図５に対応した、保持フレーム３１０ａの長手方向に垂直な断面を示している。図１４は、本発明の実施の形態２にかかる太陽光発電システム４００における固定用金具３３０の構成を示す断面図である。図１４は、図８に対応した断面を示している。図１５は、本発明の実施の形態２にかかる太陽光発電システム４００の構成を示す断面図である。図１５は、図９に対応した断面を示している。
【００４１】
保持フレーム３１０ａは、図１２および図１３に示すように下壁面部５３に凹断面部５７が設けられておらず、平坦面とされた下壁面部５３に排水孔５８ａが設けられていること以外は、上述した保持フレーム１０ａと同じ構造を有する。同様に、保持フレーム３１０ｂは、下壁面部５３に凹断面部５７が設けられておらず、平坦面とされた下壁面部５３に排水孔５８ａが設けられていること以外は、上述した保持フレーム１０ｂと同じ構造を有する。排水孔５８ａは、下壁面部５３の幅方向における概ね中央部に設けられている。排水孔５８ａは、中空形状部５６の内部と外部とを連通させる。
【００４２】
つぎに、本実施の形態２にかかる太陽光発電システム４００について説明する。本実施の形態２にかかる太陽光発電システム４００の基本構成は、実施の形態１にかかる第１の太陽光発電システム１００および第２の太陽光発電システム２００と同じである。すなわち、本実施の形態２にかかる太陽光発電システム４００は、図示を省略するが、上述した太陽電池モジュール３２０が固定用金具３３０を用いて架台１１０に取り付けられて構成されている。すなわち、太陽光発電システム４００は、実施の形態１にかかる第１の太陽光発電システム１００と同様に、太陽電池モジュール３２０の短手方向を架台１１０の伸長方向に合わせて、太陽電池モジュール３２０が架台１１０に取り付けられている。
【００４３】
太陽光発電システム４００における太陽電池モジュール３２０と固定用金具３３０との取り付け構造は、実施の形態１にかかる第１の太陽光発電システム１００および第２の太陽光発電システム２００と同じである。すなわち、太陽光発電システム４００は、太陽電池モジュール３２０が、設置場所に設置された架台１１０上に、固定用部品である固定用金具３３０と締結部品であるボルト９３とにより固定されている。固定用金具３３０は、第３固定用金具である下固定用金具９４と、第２固定用金具である上固定用金具９２を有する。
【００４４】
太陽光発電システム４００においては、架台１１０の上面上に平板状を有する第３固定用金具である下固定用金具９４が配置されている。下固定用金具９４の上面である支持面９４ａ上には、保持フレーム３１０ａの下壁面部５３が支持面９４ａに対向して接触した状態で太陽電池モジュール３２０が配置されている。
【００４５】
下固定用金具９４は、上面である支持面９４ａに、下固定用金具９４の内部に向かってへこんだ凹部である凹断面部９５が設けられている。凹断面部９５は、支持面９４ａにおいて、太陽光発電システム４００を構成した際に保持フレーム３１０ａの排水孔５８ａまたは保持フレーム３１０ｂの排水孔５８ｂに対向する位置に設けられている。また、凹断面部９５は、支持面９４ａにおいて、太陽光発電システム４００を構成した際に保持フレーム３１０ａまたは保持フレーム３１０ｂの長手方向に対応する方向の全長にわたって設けられている。すなわち、凹断面部９５は、支持面９４ａの平面視において、支持面９４ａにおける端部から内側に向かって設けられている。
【００４６】
また、上固定用金具９２が、保持フレーム１０の上フランジ部５１および外壁部５４と、下固定用金具９４の支持面９４ａと、に接触した状態で配置されている。そして、ボルト９３が、下固定用金具９４に設けられたボルト挿入孔９４ｂおよび上固定用金具９２に設けられたボルト挿入孔９２ａに挿入されて架台１１０に設けられたボルト穴１１０ａにねじ止めされることで、太陽電池モジュール３２０が架台１１０に固定されている。
【００４７】
上記のように構成された太陽光発電システム４００においては、保持フレーム１０の下壁面部５３と、下固定用金具９４の支持面９４ａと、に囲まれた排水路１３０が形成されている。すなわち、太陽光発電システム４００においては、下壁面部５３に形成された排水孔５８と、下固定用金具９４の支持面９４ａと、の間に排水路１３０が形成されている。すなわち、太陽光発電システム４００は、保持フレーム３１０の中空形状部５６における一面である下壁面部５３と、固定用金具９０の一面である下固定用金具９４の支持面９４ａとに囲まれた排水路１３０を有し、中空形状部５６の下壁面部５３に、中空形状部５６の内部と排水路１３０とを連通させる排水孔５８を備える。これにより、保持フレーム３１０において下固定用金具９４との当接面となる下壁面部５３の面内における排水孔５８に対向する位置に下固定用金具９４が配置されても、排水孔５８が塞がれることが無く、中空形状部５６内の水を保持フレーム３１０の外に排水することが可能となる。
【００４８】
したがって、本実施の形態１によれば、固定用金具の取り付け位置によらず保持フレームの内部に水が溜まりにくい太陽光発電システムを実現できる固定用部品が得られる。また、本実施の形態２によれば、固定用金具の取り付け位置によらず保持フレームの内部に水が溜まりにくい太陽光発電システムが得られる。
【００４９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５０】
１０，１０ａ，１０ｂ  保持フレーム、１１  コ字状部、１３  接触面、２０  固定部、５１  上フランジ部、５２  中フランジ部、５３  下壁面部、５４  外壁部、５５  内壁部、５６  中空形状部、５７，９５  凹断面部、５７ａ  底部、５８，５８ａ，５８ｂ  排水孔、６０  太陽電池セル、７０  太陽電池パネル、８０，３２０  太陽電池モジュール、９０，３３０  固定用金具、９１  下固定用金具、９１ａ，９４ａ  支持面、９１ｂ，９２ａ，９４ｂ  ボルト挿入孔、９２  上固定用金具、９３  ボルト、９４  下固定用金具、１００，２００，４００  太陽光発電システム、１１０  架台、１１０ａ  ボルト穴、１２０，１３０  排水路、３１０，３１０ａ，３１０ｂ  保持フレーム。
【図１】
2017163701.tif 000003
【図２】
2017163701.tif 000004
【図３】
2017163701.tif 000005
【図４】
2017163701.tif 000006
【図５】
2017163701.tif 000007
【図６】
2017163701.tif 000008
【図７】
2017163701.tif 000009
【図８】
2017163701.tif 000010
【図９】
2017163701.tif 000011
【図１０】
2017163701.tif 000012
【図１１】
2017163701.tif 000013
【図１２】
2017163701.tif 000014
【図１３】
2017163701.tif 000015
【図１４】
2017163701.tif 000016
【図１５】
2017163701.tif 000017